(57)【要約】【課題】キッチンルームで遠方にあるテレビの音声を聞くことのできるキッチン音響システムを提供する。【解決手段】遠方にあるテレビ３をキッチン側から見ることができるキッチン設備において、キッチン設備の適所に、キッチン使用者の作業領域に向かってテレビ音声を出力する音声出力装置４を設ける。これにより、リビング等の遠方にある大型のテレビ画面をキッチンルームで見ると同時に、テレビ画面と同じチャンネルの音声を聞くことができる。そのため、キッチンルームにおいて、料理や洗い物等のキッチン作業を行いながらスポーツ中継を見たり、音楽番組を見ることができ、しかも同時にキッチンルームにおいて臨場感あふれる音響を楽しむことが可能である。【選択図】  図１
2006109864.tif 000002
【特許請求の範囲】
【請求項１】
遠方にあるテレビをキッチン側から見ることができるキッチン設備において、キッチン設備の適所に、キッチン使用者の作業領域に向かってテレビ音声を出力する音声出力装置を設けたことを特徴とするキッチン音響システム。
【請求項２】
前記テレビに、放映チャンネルの音声信号を送信する送信機を設け、前記音声出力装置に、前記送信機の信号を受信して音声信号を出力する受信機と、該受信機の音声信号を受けて音声を出力する音声出力機とを設けた請求項１に記載のキッチン音響システム。
【請求項３】
前記音声出力装置に、テレビ用チューナーと、該テレビ用チューナーの発する音声信号を受けて音声を出力する音声出力機と、チャンネル切換信号を受けるリモコン受信機とを設け、前記テレビにチャンネル切換信号を受けるリモコン受信機を設け、当該テレビのリモコン受信機と前記音声出力装置のリモコン受信機とにチャンネル切換信号を発信するリモコンを設けた請求項１に記載のキッチン音響システム。
【請求項４】
前記音声出力機の入力側に切換器を設けて成り、該切換器は前記音声信号とＣＤプレイヤー等の再生装置の出力信号とを選択的に切り換えるものである請求項２又は３に記載のキッチン音響システム。
【請求項５】
前記音声出力機における音の発生は、発音用アクチュエータでキッチンキャビネットの構成部材を振動させて行うものである請求項１〜４に記載のキッチン音響システム。
【発明の詳細な説明】
【技術分野】
【０００１】
本発明は、リビング等の遠方にあるテレビの音声出力を、キッチン側において行うようにしたキッチン音響システムに関するものである。
【背景技術】
【０００２】
キッチンルームにラジカセや液晶テレビを設置すると邪魔である。また電源をコンセントから引いてこなくてはいけなく、電源コードが露出し、煩雑になっていた。
一方、最近では、テレビも大型化しており、キッチン側から遠方のリビングに設置されたテレビを見ることのできる対面式キッチン設備が公知である。対面式キッチンの場合は、キッチンルームにテレビを設置せず、リビングにあるテレビを利用していることが多いが、テレビの画像はキッチンルームから見ることはできても、音声は聞こえづらいという問題があった。
【０００３】
またキッチンルームにおいて、音声を出力するようにした装置も特許文献１及び特許文献２によって公知である。特許文献１に記載された技術は、キッチンキャビネットの使用者の足元部に対応する蹴込み空間内に音響再生用のスピーカーを取り付けることで、キッチンシンクで発生する湯の蒸気や水滴などの影響を受けにくくし、耐久性の向上を実現している。また蹴込み空間内にスピーカーを設置することで、蹴込み空間がエンクロージャーとして機能し、素直な低域特性が得られるようにしている。
【０００４】
これに対して、特許文献２に示す技術は、システムキッチンのアッパーキャビネット（吊戸棚）の下面側に、収納ボックスを設置し、該収納ボックス内にテレビ、ラジオ、カセットデッキ、カセットケース入れ、プリメインアンプ、スピーカーの音響装置を組み込むようにしている。
【特許文献１】特開２００３−８８４３３号公報
【特許文献２】特開昭６１−２０３９０７号公報
【発明の開示】
【発明が解決しようとする課題】
【０００５】
ところが、特許文献１に記載された技術では、閉鎖された蹴込み空間内において、キッチンキャビネットの蹴込み板の裏面側に、スピーカーを設置するようにしてり、あらかじめ蹴込み板の裏面側にスピーカーを取り付けておかなければならなかった。そのため、キッチンキャビネットを組み立てるときに、スピーカーを破損させないように注意を払って行う必要があり、組立工数の増大となる欠点があった。またスピーカーをメンテナンスするとき、設備を一部分解して行う必要があり、手間がかかるという欠点もあった。
【０００６】
特許文献２に記載された技術では、アッパーキャビネットの下面側に、大掛かりな収納ボックスを設置し、該収納ボックス内にテレビ、ラジオ等の音響設備を設置しており、設備全体が大型化するという問題があった。またこれらの音響設備をアッパーキャビネットの下面側に設置するため、アッパーキャビネット自体の取付強度をかなり高いものにする必要があった。
【０００７】
本発明は従来の前記課題に鑑みてこれを改良除去したものであって、キッチンルームで遠方にあるテレビの音声を聞くことのできるキッチン音響システムを提供せんとするものである。
【課題を解決するための手段】
【０００８】
而して、前記課題を解決するために本発明が採用した請求項１の手段は、遠方にあるテレビをキッチン側から見ることができるキッチン設備において、キッチン設備の適所に、キッチン使用者の作業領域に向かってテレビ音声を出力する音声出力装置を設けたことを特徴とするキッチン音響システムである。
【０００９】
本発明が採用した請求項２の手段は、前記テレビに、放映チャンネルの音声信号を送信する送信機を設け、前記音声出力装置に、前記送信機の信号を受信して音声信号を出力する受信機と、該受信機の音声信号を受けて音声を出力する音声出力機とを設けた請求項１に記載のキッチン音響システムである。
【００１０】
本発明が採用した請求項３の手段は、前記音声出力装置に、テレビ用チューナーと、該テレビ用チューナーの発する音声信号を受けて音声を出力する音声出力機と、チャンネル切換信号を受けるリモコン受信機とを設け、前記テレビにチャンネル切換信号を受けるリモコン受信機を設け、当該テレビのリモコン受信機と前記音声出力装置のリモコン受信機とにチャンネル切換信号を発信するリモコンを設けた請求項１に記載のキッチン音響システムである。
【００１１】
本発明が採用した請求項４の手段は、前記音声出力機の入力側に切換器を設けて成り、該切換器は前記音声信号とＣＤプレイヤー等の再生装置の出力信号とを選択的に切り換えるものである請求項２又は３に記載のキッチン音響システムである。
【００１２】
本発明が採用した請求項５の手段は、前記音声出力機における音の発生は、発音用アクチュエータでキッチンキャビネットの構成部材を振動させて行うものである請求項１〜４に記載のキッチン音響システムである。
【発明の効果】
【００１３】
請求項１の発明にあっては、リビング等の遠方にある大型のテレビ画面をキッチンルームで見ると同時に、テレビ画面と同じチャンネルの音声を聞くことができる。そのため、キッチンルームにおいて、料理や洗い物等のキッチン作業を行いながらスポーツ中継を見たり、音楽番組を見ることができ、しかも同時にキッチンルームにおいて臨場感あふれる音響を楽しむことが可能である。
【００１４】
請求項２の発明は、請求項１の発明の音声出力装置の具体的な構成を示すものであり、これにより、キッチンルームにおいてテレビと同じ音声を聞くことが可能である。
【００１５】
請求項３の発明にあっては、リビング等にあるテレビをリモコン操作してチャンネルを切り換えると、同時にキッチン側の音声出力装置がテレビと同じチャンネルの音声信号に切り換えられるので、別々の操作をしなくても、キッチンルームにおいてテレビと同じ音声を楽しむことが可能である。
【００１６】
請求項４の発明にあっては、音声出力機の入力側に切換器が設けられており、切換器を切り換えてＣＤプレイヤー等の再生装置の出力信号を出力することができる。従って、キッチンルームでテレビを見ないときには、ＣＤ等の音楽を楽しむことも可能である。
【００１７】
請求項５の発明にあっては、キッチン設備の適所に設けた音声出力装置の音の発生を、発音用アクチュエータでキッチンキャビネットの構成部材を振動させて行うようにしており、キッチンキャビネットの構成部材自体が平面スピーカーとしての機能を有するようになる。そのため、コーン紙のある大きなスピーカーが不要であり、全体構成が極めてシンプルなものとなる。
【発明を実施するための最良の形態】
【００１８】
以下に、本発明の構成を図面に示す発明の実施の形態に基づいて説明すると次の通りである。図１乃至図６は、本発明の一実施の形態に係るものであり、対面式キッチン流し台１のサイド板２をキッチン設備として選択した場合のものである。図１はリビング側に配設されたテレビ３と、キッチン流し台１の全体を示す斜視図である。図２はリビング側のテレビ３と、キッチン側の音声出力装置４との間の信号のやりとりを示すブロック図、図３はその別態様を示すブロック図である。図４は流し台１を示すものであり、図（Ａ）はその正面図、図（Ｂ）は同側面図である。図５は流し台１のサイド板２を示すものであり、図（Ａ）は側面図、図（Ｂ）は縦断面平面図である。図６は発音用アクチュエータとしてエキサイター５を用いた場合のものであり、図（Ａ）はエキサイター５の部分断面平面図、図（Ｂ）は同正面図である。
【００１９】
図１に示すように、対面式のキッチン流し台１は、手前側の上部に配設されたシンク６寄りの正面側がキッチンルームに面しており、奥部の上面に配設されたカウンター７の背面側がリビング又はダイニング等に面している。そして、流し台１の左側面にはサイド板２が立設されており、キッチン設備と他の空間とを区画している。サイド板２は、図５の図（Ａ）及び図（Ｂ）に示すように、薄板８及び木材９からなる心材１０の両サイドの薄い表面材１１を貼着したフラッシュ板等であり、内部にテレビ３のキッチン側における音声出力装置４が組み込まれている。
【００２０】
すなわち、心材１０と表面材１１との間には、付属部品室１２と、エキサイター室１３と、アンプ室１４とが設けられており、付属部品室１２にはスイッチ１５及びボリューム１６、ピンジャック１７等の付属部品が収納配設されており、エキサイター室１３には、発音用アクチュエータとしてのエキサイター５が収納配設されており、アンプ室１４にはアンプ、テレビチューナー等の機器が収納配置されている。またサイド板２の左外側面には、前記スイッチ１５、ボリューム１６及びピンジャック１７の付属部品が操作できるように露呈しており、その他、ＣＤプレイヤー等のメディア再生装置１８及びＣＤ１９等を係止しておく、係止棚部２０Ａ，２０Ｂと、リモコン２１のホルダー２２が取り付けられている。更に、サイド板２の正面側の端面には、コンセント２３が設けられている。
【００２１】
而して、図２に示すように、リビング側に配設されたテレビ３には、リモコン２１から野テレビ操作信号を受信するリモコン受信機２４と、テレビ電波を受信してチャンネルを切り換えるチューナー２５と、該チューナー２５が受信しているチャンネルの音声信号を出力する送信機２６とが組み込まれている。またキッチン側の音声出力装置４は、前記送信機２６からの信号を受信する受信機２７と、当該受信機２７からの音声信号とメディア再生装置１８からの音声信号とを選択的に切り換える切換器２８と、音声出力機２９とが組み込まれている。音声出力機２９は、図６の図（Ａ）及び図（Ｂ）に示すエキサイター５である。
【００２２】
エキサイター５は、皿状に形成したヨーク３０と、ヨーク３０の凹部に取り付けた磁石３１と、磁石３１の外周に嵌合装着したボビン３２と、ボビン３２の外周面に巻回したボイスコイル３３と、ヨーク３０及びボビン３２の二部材を連結するダンパー３４と、ボビン３２の先端側に設けた出力部（フランジ）３５とを備えている。また磁石３１の上面側にはプレート３６が積層され、更に消磁用磁石３７が積層されている。これらは磁気回路３８を構成し、ボイスコイル３３との間で磁気ギャップを形成する。また出力部３５は、木質，セラミック質等の音質調整具３９を介して薄板８に接しており、筒状のケーシング４０をビス４１等で連結することにより、薄板８の裏面側にエキサイター５の全体を取り付けるようにしている。ケーシング４０の他端面側には、環状の切欠きを間欠的に且つ多重に形成することで、バネ性を付与した押圧具３２が取り付けられており、エキサイター５を薄板８に対して押圧付勢している。
【００２３】
エキサイター５の音発生原理は、ボイスコイル３３に音響再生信号が流れると、その強さに応じてボイスコイル３３と共にボビン３２がピストン運動し、ボビン３２の先端側の振動出力部３５に当接する薄板８を振動させて音を再生するものである。なお、前記音発生器は、エキサイター（励振器）５に限定するものではなく、図示は省略したが、電磁コイルで生じる磁界変化で超磁歪ロッドを伸縮させる超磁歪式アクチュエータ−や、圧電振動子を用いたアクチュエータ等を選択することも可能である。
【００２４】
次に、このように構成されたキッチン音響システムの使用態様を説明する。キッチン側のサイド板２に取り付けられたホルダー２２に装着されているリモコン２１を操作し、テレビ３のチャンネルを切り換えると、図２に示すように、リモコン２１から切換信号がリモコン受信機２４に受信され、チューナー２５を切り換えるようになる。そのため、テレビ３の本体側ではその画面上に受信チャンネルの画像が表示され、内臓スピーカーから音声が出力される。一方、チューナー２５では、選択されたチャンネルの電波を受信し、その音声信号を送信機２６へ出力する。これにより、キッチン側のサイド板２内に組み込まれた受信機２７が前記音声信号を受信する。この音声信号は切換器２８を介して音声出力機２９であるエキサイター５に入力される。
【００２５】
エキサイター５に前記音声信号が入力されると、その強さに応じてボイスコイル３３と共にボビン３２がピストン運動し、ボビン３２の先端側の振動出力部３５に当接する薄板８を振動させて音を再生する。つまり、キッチンルームでのキッチン作業者は、流し台１越しにリビング等のテレビ３の映像を見ることができ、同時に、エキサイター５による映像チャンネルの音声信号を聞くことができるので優れた音響効果が得られる。また薄板８を振動板として利用することにより、平面スピーカーを構成することができ、スピーカー部品を別途準備する必要がなく、部品点数を少なくすることができる。しかも、薄板８の材質を木質板や各種金属板又はプラスチック板等から適宜選択することにより、発生する音や音色の周波数帯並びに波形を変えることが可能である。更にまた、平面スピーカーとしての薄板８が直接、外部から見えることがなく、見栄えが良いという利点もある。なお、エキサイター５の取り付けは、図４の図（Ｂ）に示すように、薄板８の代わりにサイド板２のシンク寄りの右側面の一部に開口を設けて該開口に振動板４３を着脱自在に取り付け、該振動板４３の裏面側に取り付けるようにしてもよい。
【００２６】
ところで、リビング側のテレビ３と、キッチン側の音声出力装置４との間の信号のやりとりは、図２の方式に代えて、図３に示す方式にすることが可能である。この図３の方式では、テレビ３側をリモコン受信機２４とチューナー２５とで構成し、音声出力装置４側をリモコン受信機２４と、チューナー２５と、切換器２８と、音声出力機２９とで構成している。リモコン２１を操作し、テレビ３のチャンネルを切り換えると、図３に示すように、リモコン２１から切換信号がテレビ３側と音声出力装置４側との両方のリモコン受信機２４，２４に受信され、それぞれのチューナー２５を切り換えるようになる。そのため、テレビ３の本体側ではその画面上に受信チャンネルの画像が表示され、内臓スピーカーから音声が出力される。一方、音声出力装置４側のチューナー２５では、選択されたチャンネルの電波を受信し、その音声信号を切換器２８を介して音声出力機２９であるエキサイター５に出力する。
【００２７】
エキサイター５に音声信号が入力されると、その強さに応じてボイスコイル３３と共にボビン３２がピストン運動し、ボビン３２の先端側の振動出力部３５に当接する薄板８を振動させて音を再生することは、前記図２の場合と同じである。これにより、キッチンルームでのキッチン作業者は、流し台１越しにリビング等のテレビ３の映像を見ることができ、同時に、エキサイター５による映像チャンネルの音声信号を聞くことができる。
【００２８】
なお、キッチンルームにおいて、リビング側に配設されたテレビ３を見ない場合は、図２又は図３のいずれの方式であっても、切換器２８をメディア再生装置１８側へ切り換え、ＣＤ等の音声信号を音声出力機２９としてのエキサイター５へ出力して音を再生する利用形態も可能である。
【産業上の利用可能性】
【００２９】
本発明は上述した実施の形態に限定されるものではなく、適宜の変更が可能である。例えば、音発生用の振動発生器としては、エキサイター５の場合を例に説明したが、他にも超磁歪式のアクチュエータや圧電振動子を用いたアクチュエータ等が適用可能である。超磁歪式のアクチュエータは、電磁コイルで生じる磁界変化で超磁歪ロッドを伸縮させて振動を発生させるものである。その構成は、ケーシング内に、音信号が流れる電磁コイルと、電磁コイルで生ずる磁界変化により自由端側が伸縮する超磁歪ロッドと、超磁歪ロッドの圧縮方向にプリストレスを付与するスプリングと、超磁歪ロッドにバイアス磁界を付与する磁石とが内臓されており、超磁歪ロッドの自由端にプッシュロッドが連結してある。電磁コイルに音声信号が流れると磁界変化が生じ、超磁歪ロッドを伸縮させて音声信号に応じた変位をプッシュロッドの先端出力部に発生させるようになっている。
【図面の簡単な説明】
【００３０】
【図１】本発明の一実施の形態に係るものであり、リビング側に配設されたテレビと、キッチン流し台の全体を示す斜視図である。
【図２】本発明の一実施の形態に係るものであり、リビング側のテレビと、キッチン側の音声出力装置との間の信号のやりとりを示すブロック図である。
【図３】本発明の一実施の形態に係るものであり、リビング側のテレビと、キッチン側の音声出力装置との間の信号のやりとりを示す別態様のブロック図である。
【図４】本発明の一実施の形態に係るものであり、図（Ａ）は流し台の正面図、図（Ｂ）は同側面図である。
【図５】本発明の一実施の形態に係るものであり、図（Ａ）は流し台のサイド板の側面図、図（Ｂ）は同縦断面平面図である。
【図６】本発明の一実施の形態に係るものであり、図（Ａ）はエキサイターの部分断面平面図、図（Ｂ）は同正面図である。
【符号の説明】
【００３１】
１…対面式キッチンの流し台、２…サイド板、３…テレビ、４…音声出力装置、５…エ  キサイター、６…シンク、７…カウンター、１７…ピンジャック、１８…ＣＤ等の再生  装置、１９…ＣＤ、２２…リモコン、２４…リモコン受信機、２５…チューナー、２６  …送信機、２７…受信機、２９…切換器、２９…音声出力機
【図１】
2006109864.tif 000003
【図２】
2006109864.tif 000004
【図３】
2006109864.tif 000005
【図４】
2006109864.tif 000006
【図５】
2006109864.tif 000007
【図６】
2006109864.tif 000008